(57)【要約】【課題】  他の植物の繁茂を抑えながら特定の植物で緑化する。【解決手段】  緑化工事方法は、被施工面下の土壌よりも植物が生育しにくい防草土を用いて、被施工面に既定の厚さの防草土層を形成する防草土層形成ステップと、形成された防草土層に、貫通口を形成する貫通口形成ステップと、少なくとも表土が防草土で覆われたポット苗を挿入して、形成された前記貫通口を塞ぐポット挿入ステップとを有する。防草土層形成ステップにおいて、石灰成分が混合されて、ｐＨが７〜１２に調整された土を前記防草土として、防草土層を形成し、ポット挿入ステップにおいて、ｐＨ７〜１２の土壌において生育可能な植物の苗が植えられたポット苗を前記貫通口に挿入する。【選択図】図２
2015188369.tif 000002
【特許請求の範囲】
【請求項１】
被施工面下の土壌よりも植物が生育しにくい防草土を用いて、被施工面に既定の厚さの防草土層を形成する防草土層形成ステップと、
形成された前記防草土層に、貫通口を形成する貫通口形成ステップと、
少なくとも表土が防草土で覆われたポット苗を挿入して、形成された前記貫通口を塞ぐポット挿入ステップと
を有する緑化工事方法。
【請求項２】
前記防草土層形成ステップにおいて、石灰成分が混合されて、ｐＨが７〜１２に調整された土を前記防草土として、防草土層を形成し、
前記ポット挿入ステップにおいて、ｐＨ７〜１２の土壌において生育可能な植物の苗が植えられたポット苗を前記貫通口に挿入する
請求項１に記載の緑化工事方法。
【請求項３】
前記防草土層形成ステップにおいて、浄水沈殿汚泥と、石灰成分を主とする固化材とを混合した土を前記防草土とし、この防草土を転圧して前記防草土層を形成し、
前記貫通口形成ステップにおいて、前記ポット苗と近似する形状の貫通口を形成する
請求項２に記載の緑化工事方法。
【請求項４】
前記貫通口形成ステップにおいて、互いに２５ｃｍ〜６０ｍ離間させて貫通口を複数形成し、
前記ポット挿入ステップにおいて、ｐＨ７〜９の土に植えられたヒメイワダレ草のポット苗で、前記貫通口を塞ぐ
請求項３に記載の緑化工事方法。
【請求項５】
ｐＨ７〜１２の土で、少なくとも表土が形成された苗床と、
前記苗床に植えられ、ｐＨ７〜１２の土壌で生育可能な植物の苗と
を有するポット苗。
【請求項６】
前記苗床は、石灰成分を混合することによりｐＨ７〜１２に調整された土で、少なくとも表土が形成されており、
前記植物の苗は、ヒメイワダレ草の苗である
請求項５に記載のポット苗。
【発明の詳細な説明】
【技術分野】
【０００１】
本発明は、緑化工事方法及びポット苗に関する。
【背景技術】
【０００２】
例えば、特許文献１には、透湿性および防水性、遮光性があり、軽量で耐久性がある上に防草機能があるなど土壌改良機能を有するマルチシートが開示されている。
【０００３】
また、特許文献２には、法面に植生基盤材を吹き付ける法面緑化工法において、当該法面（Ｆ）はｐＨ４未満の酸性土壌（Ｇａ）であり、ＲＦ１＿２８Ｓの塩基配列（配列表参照）を有する菌（例えば、耐酸性ＶＡ菌根菌（Ｂ２））を包含する領域（Ｃ）を法面（Ｆ）上に形成する工程（Ｓ１、Ｓ２）を有する法面緑化工法が開示されている。
【先行技術文献】
【特許文献】
【０００４】
【特許文献１】特開２００６−１９１８９４
【特許文献２】特開２０１１−２５０７２９
【発明の概要】
【発明が解決しようとする課題】
【０００５】
他の植物の繁茂を抑えながら特定の植物で緑化することを目的とする。
【課題を解決するための手段】
【０００６】
本発明に係る緑化工事方法は、被施工面下の土壌よりも植物が生育しにくい防草土を用いて、被施工面に既定の厚さの防草土層を形成する防草土層形成ステップと、形成された前記防草土層に、貫通口を形成する貫通口形成ステップと、少なくとも表土が防草土で覆われたポット苗を挿入して、形成された前記貫通口を塞ぐポット挿入ステップとを有する。
【０００７】
好適には、前記防草土層形成ステップにおいて、石灰成分が混合されて、ｐＨが７〜１２に調整された土を前記防草土として、防草土層を形成し、前記ポット挿入ステップにおいて、ｐＨ７〜１２の土壌において生育可能な植物の苗が植えられたポット苗を前記貫通口に挿入する。
【０００８】
好適には、前記防草土層形成ステップにおいて、浄水沈殿汚泥と、石灰成分を主とする固化材とを混合した土を前記防草土とし、この防草土を転圧して前記防草土層を形成し、前記貫通口形成ステップにおいて、前記ポット苗と近似する形状の貫通口を形成する。
【０００９】
好適には、前記貫通口形成ステップにおいて、互いに２５ｃｍ〜６０ｍ離間させて貫通口を複数形成し、前記ポット挿入ステップにおいて、ｐＨ７〜９の土に植えられたヒメイワダレ草のポット苗で、前記貫通口を塞ぐ。
【００１０】
また、本発明に係るポット苗は、ｐＨ７〜１２の土で、少なくとも表土が形成された苗床と、前記苗床に植えられ、ｐＨ７〜１２の土壌で生育可能な植物の苗とを有する。
【００１１】
好適には、前記苗床は、石灰成分を混合することによりｐＨ７〜１２に調整された土で、少なくとも表土が形成されており、前記植物の苗は、ヒメイワダレ草の苗である。
【発明の効果】
【００１２】
他の植物の繁茂を抑えながら特定の植物で緑化できる。
【図面の簡単な説明】
【００１３】
【図１】ポット苗１０を模式的に例示する図である。
【図２】防草緑化工事（Ｓ１０）のフローチャートである。
【発明を実施するための形態】
【００１４】
以下、本発明の実施形態を説明する。
（防草土）
防草土は、被施工面下の土壌よりも植物が生育しにくい土である。例えば、防草土は、ｐＨが植物生育に適さない範囲（酸性又はアルカリ性）に調整された土である。また、防草土は、植物の生育に必要な養分（窒素化合物など）が極端に少ない土であってもよい。
本例の防草土は、窒素及びリンなどの植物肥料となる養分が少ない浄水沈殿汚泥と、石灰成分を主とする固化材との混合物であり、ｐＨ７〜１２に調整されている。本例では、防草土１立方メートル当たり７０〜９０ｋｇの石灰成分が混合される。法面に用いる防草土の石灰成分は、固化強度の観点から、平面に用いる防草土よりも多いことが望ましい。
【００１５】
（防草土の製造方法）
浄水沈殿汚泥を十分に乾燥させた後、篩にかけてゴミ等を除去する。
石灰成分を主とする固化材を、浄水沈殿汚泥に添加する。石灰成分は、例えば、貝殻を粉砕して得られたものである。
必要に応じて、浄水沈殿汚泥及び固化材の混合物に、瓦の粉末を添加する。瓦粉末の添加量は、クラック対策の観点から、８〜１２重量％であることが望ましい。
【００１６】
（ポット苗）
図１は、ポット苗１０を模式的に例示する図である。
図１に例示するように、ポット苗１０は、少なくとも表土が防草土で構成される苗床１００と、苗床１００に植えられた植物の苗１１０と、苗床を収容する容器１２０とを有する。
苗床１００は、例えば、上記防草土に肥料を添加したポット用防草土で構成される。例えば、苗床１００の構成比は、防草土６０〜６５％、肥料５〜１５％である。
苗１１０は、防草土で生育できる植物の苗であり、本例では、ヒメイワダレ草の苗である。ヒメイワダレ草は、他の植物が繁茂しにくい強アルカリ土壌でも生育できるため、本例の防草土を用いる場合に適している。さらに、ヒメイワダレ草は、低温及び乾燥にも強く、かつ、ハーブ効果を有すると共に、芝と同様に密集して繁茂するため、緑化植物として適している。
容器１２０は、ポット形状のビニール容器である。容器１２０は、例えば、深さ９ｃｍかつ直径９ｃｍの略円柱形状である。
【００１７】
（緑化工事）
次に、防草緑化工事の流れを説明する。
図２は、防草緑化工事（Ｓ１０）のフローチャートである。
図２に例示するように、ステップ１００（Ｓ１００）において、作業者は、被施工面（路面又は法面）の上に、防草土を敷きつめる。対象面全体が完全に防草土によって覆われる必要がある。また、作業者は、最終的な防草土層（転圧後の防草土の層）が１０ｃｍ以上２０ｃｍ以下の厚さとなるように、防草土の量を加減する。被施工面下から生えてくる雑草を抑制するためには、防草土層の厚さが１０ｃｍ以上であることが望ましい。防草土層の厚さを５ｃｍ増減させることで、防草効果が大きく変化してくるため、被施工面下の土壌（雑草が繁茂しやすいか否か）に応じて、１０ｃｍ〜２０ｃｍの間で防草土層の厚さを変化させる。
【００１８】
ステップ１０５（Ｓ１０５）において、作業者は、対象面上に敷きつめられた防草土を転圧して防草土層を形成させる。
【００１９】
ステップ１１０（Ｓ１１０）において、作業者は、既定の間隔（例えば、２５ｃｍ〜６０ｃｍ）をあけて、防草土層を貫通する貫通口を形成する。ここで、貫通口は、防草土層を貫通して対象面の土壌まで達していることが望ましい。ヒメイワダレ草の根が対象面の土壌にまで伸びることが望ましいからである。
貫通口の形状及び大きさ（直径）は、ポット苗１０の外形と近似したものであり、例えば７〜１０ｃｍである。貫通口の深さは、７〜１０ｃｍｍである。貫通口がポット苗１０よりも必要以上に大きいと、貫通口を防草土（ポット用防草土）で覆うことができず、他の植物が貫通口を通って出てくる可能性があるからである。
【００２０】
ステップ１１５（Ｓ１１５）において、作業者は、貫通口に肥料を入れ、容器１２０が外されたポット苗１０を貫通口に挿入して、貫通口を塞ぐ。
【００２１】
このように、防草土で覆われ、かつ、固化された防草土層は、風雨による浸食が抑制され、比較的長期にわたって剥がれたり、ひび割れたりすることなく、他の植物の繁殖を抑制する。そして、この期間の間に、貫通口に挿入されたポット苗１０のヒメイワダレ草は、地下に３０ｃｍ以上の根をはり、被施工面の土壌にまで地下茎を広げて、かつ、防草土層の表面にも広がっていく。
【００２２】
以上説明したように、本実施形態の防草緑化工事によれば、他の植物の繁茂を抑制しながら、特定の植物（ヒメイワダレ草）を防草土層に広げて、防草土層一面を特定の植物で緑化することができる。ヒメイワダレ草に覆われた防草土層は、ヒメイワダレ草に保護されて、さらに剥がれや風化に強くなる。
【００２３】
なお、上記実施形態では、ポット苗１０にポット用防草土を用いることにより他の植物が貫通口から生えてくることを抑制しているが、これに限定されるものではなく、例えば、ヒメイワダレ草の苗のみを露出させて、表土の他の部分をシート等で覆うことにより、他の植物が生えてくることを抑制してもよい。
【符号の説明】
【００２４】
１０…ポット苗
１００…苗床
１１０…苗
１２０…容器
【図１】
2015188369.tif 000003
【図２】
2015188369.tif 000004